(57)【特許請求の範囲】
【請求項１】
土壌（Ｓ）に薬液（Ｌ）を注入する薬液注入刀ノズル（５）と、該薬液注入刀ノズル（５）の進行方向後方の土壌表面（ＧＳ）に覆い（２１）を施す土壌被覆装置（２０）と、前記土壌表面（ＧＳ）に施された前記覆い（２１）の上を転動する鎮圧ローラ（２４）と、該鎮圧ローラ（２４）の後方に配設されて前記覆い（２１）の左右の側縁部（２１ａ，２１ｂ）を覆土する左右一対の覆土部材（２５ａ，２５ｂ）と、を備えてなる土壌消毒機（１）であって、前記鎮圧ローラ（２４）は、前記覆い（２１）を前記土壌表面（ＧＳ）に対して密着せしめるローラ本体（３２）と、前記覆い（２１）の前記左右の側縁部（２１ａ，２１ｂ）側を前記土壌（Ｓ）中に押し込むための左右一対の覆い押し込み輪（３３ａ，３３ｂ）と、該左右一対の覆い押し込み輪（３３ａ，３３ｂ）の外側に配設されて前記覆い（２１）の前記左右の側縁部（２１ａ，２１ｂ）を押さえる左右一対の端部押圧輪（３４ａ，３４ｂ）とを、一体的且つ同心的に備えてなる、土壌消毒機。
【請求項２】
前記土壌消毒機（１）の機体フレーム（３）と前記鎮圧ローラ（２４）との間に、該鎮圧ローラ（２４）による前記土壌表面（ＧＳ）の押圧力を調節自在にせしめる押圧力調節手段（３８）を備えてなる、請求項１に記載の土壌消毒機。
【請求項３】
前記鎮圧ローラ（２４）の進行方向の前方（Ｆ）に左右一対の溝切り部材（２２ａ，２２ｂ）を備え、該左右一対の溝切り部材（２２ａ，２２ｂ）によって前記土壌表面（ＧＳ）に形成された左右一対の溝（２６ａ，２６ｂ）を前記左右一対の覆い押し込み輪（３３ａ，３３ｂ）が通るように、前記左右一対の溝切り部材（２２ａ，２２ｂ）と前記左右一対の覆い押し込み輪（３３ａ，３３ｂ）とを配置してなる、請求項１または２に記載の土壌消毒機。
【請求項４】
前記ローラ本体（３２）が柔軟な外周面（３５）を備えてなる、請求項１，２または３に記載の土壌消毒機。
【請求項５】
土壌表面（ＧＳ）に施された覆い（２１）の上を転動するローラ本体（３２）と、前記覆い（２１）の左右の側縁部（２１ａ，２１ｂ）側を土壌（Ｓ）中に押し込むための左右一対の覆い押し込み輪（３３ａ，３３ｂ）と、前記左右一対の覆い押し込み輪（３３ａ，３３ｂ）の外側に配設されて前記覆い（２１）の前記左右の側縁部（２１ａ，２１ｂ）を押さえる左右一対の端部押圧輪（３４ａ，３４ｂ）とを、一体的且つ同心的に備えてなる、鎮圧ローラ。
【請求項６】
前記ローラ本体（３２）が柔軟な外周面（３５）を備えてなる、請求項５に記載の鎮圧ローラ。
【発明の詳細な説明】
【０００１】
【発明の属する技術分野】
本発明は、作物を栽培するための土壌に殺虫剤等の薬剤を注入する土壌消毒機に関し、詳しくは、土壌に薬液を注入するとともに薬液注入後の土壌表面に覆いを施しながら進行する土壌消毒機に関するものである。本発明はまた、前記土壌消毒機に用いて好適な鎮圧ローラに関するものである。
【０００２】
【従来の技術】
土壌消毒機の一種として、土壌に薬液を注入するとともに薬液注入後の土壌表面にフィルム状の覆い（マルチフィルムシート）を施しながら進行する、いわゆるマルチ同時土壌消毒機といわれる形式のものが知られている。
【０００３】
この形式の従来の土壌消毒機によれば、薬液注入後の均された土壌に、左右一対の溝切りディスクで溝が形成される。そして、前記土壌消毒機の進行に応じてフィルム筒から土壌表面に繰り出されるマルチフィルムシートの左右の側縁部が、左右一対のフィルムシート押圧輪により前記左右一対の溝に押圧された状態で、前記左右一対のフィルムシート押圧輪の後方位置に設けた左右一対の覆土ディスクによって覆土される。これにより、前記土壌に注入されて気化した薬液が、前記土壌表面と前記マルチフィルムシートとの間に滞留するので、前記土壌中の根食い虫等の害虫を効果的に駆除できるとされている。
【０００４】
【発明が解決しようとする課題】
しかしながら、前記従来の構成によれば、前記マルチフィルムシートの前記左右の側縁部が、前記覆土で押さえられるのみであり、前記土壌表面と前記マルチフィルムシートとの間の密着性が悪いので、未だ薬効が十分であるとは言えない。
【０００５】
本発明は、こうした事情に鑑みてなされたもので、土壌表面と覆いとの間の密着性を高めるとともに、該覆いの左右の側縁部への覆土の確実性を一層高めることにより、優れた土壌消毒効果を得ることができる、土壌消毒機を提供しようとするものである。また、本発明は、前記土壌消毒機に用いて好適な鎮圧ローラを提供しようとするものである。
【０００６】
【課題を解決するための手段】
前記課題を解決するため、本発明に係る土壌消毒機は、土壌に薬液を注入する薬液注入刀ノズルと、該薬液注入刀ノズルの進行方向後方の土壌表面に覆いを施す土壌被覆装置と、前記土壌表面に施された前記覆いの上を転動する鎮圧ローラと、該鎮圧ローラの後方に配設されて前記覆いの左右の側縁部を覆土する左右一対の覆土部材と、を備えてなる土壌消毒機であって、前記鎮圧ローラは、前記覆いを前記土壌表面に対して密着せしめるローラ本体と、前記覆いの前記左右の側縁部側を前記土壌中に押し込むための左右一対の覆い押し込み輪と、該左右一対の覆い押し込み輪の外側に配設されて前記覆いの前記左右の側縁部を押さえる左右一対の端部押圧輪とを、一体的且つ同心的に備えたものである（請求項１）。
【０００７】
前記土壌消毒機によれば、薬液注入後の土壌表面に施された覆いが、前記鎮圧ローラで前記土壌表面に対して押圧されて、前記覆いの全面が前記土壌表面に密着せしめられる。同時に、前記鎮圧ローラの荷重によって、前記覆いの上から前記土壌表面が押し固められる。よって、注入された薬液が前記土壌中にガス化状態で長時間滞留することになり、優れた土壌消毒効果が得られる。
【０００８】
前記覆いの前記左右の側縁部は、前記鎮圧ローラの通過後に、前記左右一対の覆土部材によって覆土されるので、風等によって前記覆いがめくれてしまう等の問題はない。また、本発明によれば、前記覆いの前記左右の側縁部側が前記左右一対の覆い押し込み輪によって確実に前記土壌中に押し込まれた状態で、前記左右一対の覆土部材によって、前記覆いの前記左右の側縁部が覆土される。さらに、前記左右一対の覆い押し込み輪の外側に前記左右一対の端部押圧輪が備えられているので、前記覆いが前記土壌中に押し込まれる時に、その左右の側縁部の跳ね上がりが防止される。よって、前記覆いの左右の側縁部への覆土がなお一層確実に行われて、好適である。
【０００９】
本発明の一実施の形態として、前記土壌消毒機の機体フレームと前記鎮圧ローラとの間に、該鎮圧ローラによる前記土壌表面の押圧力を調節自在にせしめる押圧力調節手段を備えたものとすることもできる（請求項２）。このようにすれば、前記押圧力調節手段により、前記土壌表面に対する前記覆いの密着性の程度や、前記土壌表面の押し固めの程度を調節することにより、土壌の質や固さ等に応じた適切な土壌消毒作業を行うことができて、好適である。
【００１２】
また、前記鎮圧ローラの進行方向の前方に左右一対の溝切り部材を設け、該左右一対の溝切り部材によって前記土壌表面に形成された左右一対の溝を前記左右一対の覆い押し込み輪が通るように、前記左右一対の溝切り部材と前記左右一対の覆い押し込み輪とを配置することもできる（請求項３）。
【００１３】
この場合、前記左右一対の覆い押し込み輪は、前記左右一対の溝切り部材が形成した前記左右一対の溝の中を転動しながら、該左右一対の溝に対して前記覆いの前記左右の側縁部側を押し込む。よって、前記覆いの前記左右の側縁部側が前記土壌中に一層確実に押し込まれ、その上から前記左右一対の覆土部材によって覆土がなされるので、覆土がより一層確実となり、好適である。
【００１４】
なお、前記ローラ本体が柔軟な外周面を備えたものとせしめれば（請求項４）、前記覆いが柔らかいフィルム状のものである場合でも、前記ローラ本体の前記外周面によって前記覆いが損傷を受ける等の問題がなく、なお一層好適である。
【００１５】
一方、本発明に係る鎮圧ローラは、土壌表面に施された覆いの上を転動するローラ本体と、前記覆いの左右の側縁部側を土壌中に押し込むための左右一対の覆い押し込み輪と、前記左右一対の覆い押し込み輪の外側に配設されて前記覆いの前記左右の側縁部を押さえる左右一対の端部押圧輪とを、一体的且つ同心的に備えたものである（請求項５）。
【００１７】
また、前記ローラ本体が柔軟な外周面を備えたものとせしめることもできる（請求項６）。
【００１８】
【発明の実施の形態】
以下、添付図面を参照して、本発明の好適な一実施の形態について説明する。
【００１９】
図１は、本発明の一実施の形態に係る土壌消毒機を右後方から見た全体斜視図、図２は、図１の土壌消毒機の右側面図、図３は、図１中の鎮圧ローラの拡大斜視図、図４は、図１のＩＶ−ＩＶ矢視拡大断面図である。
図１及び図２において、本実施の形態に係る土壌消毒機１は、左右一対の接地転輪２，２を有する機体フレーム３と、該機体フレーム３に取り付けられた薬液注入刀ノズル群４と、該薬液注入刀ノズル群４を形成するそれぞれの薬液注入刀ノズル５に対応してそれぞれ配設されるとともに、前記左右一対の接地転輪２，２の接地転動速度に応じて駆動される薬液注入ポンプ６からなる薬液注入ポンプ群７と、薬液源として前記機体フレーム３に搭載される左右一対の薬液缶８，８と、を備えている。そして、前記機体フレーム３が、トラクタ等の牽引車Ｃによって前方Ｆへ向かって低速で牽引されると、該牽引車Ｃの牽引による前記左右一対の接地転輪（ポンプ駆動輪）２，２の接地転動速度に応じて前記各薬液注入ポンプ６が駆動され、前記左右一対の薬液缶８，８内の殺虫剤等の薬液Ｌが、前記各薬液注入刀ノズル５の下端部から土壌Ｓ中に注入される。
【００２０】
前記機体フレーム３の前部には、前記牽引車Ｃへの取付部として、前記牽引車Ｃの三点支持装置を形成する上部リンク９へ連結される上部アーム１０と、同じく前記牽引車Ｃの前記三点支持装置を形成する左右一対の下部リンク１１，１１へと連結される左右一対の下部アーム１２，１２と、が配設されている。
【００２１】
前記薬液注入刀ノズル群４を形成する前記各薬液注入刀ノズル５は、前記機体フレーム３の左右幅方向に等間隔で並設されている。前記機体フレーム３に対する前記各薬液注入刀ノズル５の配設間隔は、必要に応じて調節自在とされ、前記土壌Ｓ中へ注入される前記薬液Ｌの薬効範囲に応じて、例えば、３００ｍｍ等に設定される。
【００２２】
前記各薬液注入刀ノズル５は、図２に示すように、前記機体フレーム３の前方Ｆへ向かって斜め下向きに前記土壌Ｓ中に突入せしめられる薬液注入刀１３と、該薬液注入刀１３の背面に沿って固定されるとともにその下端部に後向き又は下向きの薬液噴射口１４を有するノズル管１５と、から形成されている。前記各薬液注入刀ノズル５は、前記土壌Ｓ中に突入せしめられたまま、前記牽引車Ｃで牽引される。
【００２３】
次に、図１及び図２を参照して、前記薬液注入ポンプ群７を形成する前記各薬液注入ポンプ６について説明する。
【００２４】
限定はされないが、本実施の形態では、前記各薬液注入ポンプとして、ダイアフラム式ポンプ６を採用している。該各薬液注入ポンプ６は、前記薬液注入刀ノズル群４の後方に位置する前記左右一対のポンプ駆動輪２，２の接地転動速度に応じて駆動される。すなわち、該左右一対のポンプ駆動輪２，２の接地転動により、前記各薬液注入ポンプ６に対応してそれぞれ配設されたポンプ駆動カム１６が、前記ポンプ駆動輪２，２の車軸１７を介して所定の回転速度で回転駆動されることによって、前記各薬液注入ポンプ６が駆動される。前記薬液缶８，８内の前記薬液Ｌは、前記各薬液注入ポンプ６の作動によって間欠的に一定量ずつ吸入され、前記機体フレーム３に支持された透明管よりなる薬液流出視認器６ａを通って、前記土壌Ｓ中に突入した前記各薬液注入刀ノズル５へ向けて圧送される。
【００２５】
前記ポンプ駆動輪２，２の通過後の土壌表面ＧＳは、前記ポンプ駆動輪２，２の後方に配置された土壌均平板１８で均されて行く。すなわち、前記各薬液注入刀ノズル５の通過によって前記土壌表面ＧＳに形成される溝や、前記牽引車Ｃの車輪Ｗ及び前記ポンプ駆動輪２，２の転動によって前記土壌表面ＧＳに形成される轍等は、前記土壌均平板１８で消され、前記土壌表面ＧＳが均されて行く。
【００２６】
前記土壌均平板１８は、前記機体フレーム３に取り付けられていて、図１及び図２に示すように、圧縮コイルばね１９等の適当な押圧手段で地面に対して押圧されている。前記土壌均平板１８の前記土壌表面ＧＳに対する押圧力を調節自在とせめれば好適である。
【００２７】
前記土壌均平板１８の後方には、土壌被覆装置２０が配設されている。該土壌被覆装置２０は、前記薬液Ｌが注入されて前記土壌均平板１８で均された前記土壌表面ＧＳに、例えば、プラスチックフィルムシート等からなる覆い２１（以下、「マルチフィルムシート」という。）を、前記土壌消毒機１の前方Ｆへの進行に応じて自動的に施していくための装置である。前記マルチフィルムシート２１は、単に前記土壌表面ＧＳを覆うように繰り出されるだけなく、風で吹き飛ばされたりしないように、前記土壌消毒機１の前方Ｆへの進行に応じて、その左右の側縁部２１ａ，２１ｂが自動的に土で覆われるようになっている。
【００２８】
前記土壌被覆装置２０は、図１及び図２に示すように、前記機体フレーム３の前側から順に、溝切り部材としての左右一対の溝切りディスク２２ａ，２２ｂと、フィルム筒２３と、鎮圧ローラ２４と、覆土部材としての左右一対の覆土ディスク２５ａ，２５ｂと、を備えている。
【００２９】
前記左右一対の溝切りディスク２２ａ，２２ｂは、所定量だけ前記土壌Ｓ中に突入したままで転動し、前記マルチフィルムシート２１の前記左右の側縁部２１ａ，２１ｂ側を受け入れるための左右一対の溝２６ａ，２６ｂを、前記土壌表面ＧＳに形成する。前記左右一対の溝切りディスク２２ａ，２２ｂは、前記機体フレーム３に取着された左右一対の溝切りディスク支持腕２８ａ，２８ｂの下端部に、回動自在に支持されている。
【００３０】
前記フィルム筒２３は、長尺の前記マルチフィルムシート２１を、軸芯２７に巻き付けて形成されている。前記フィルム筒２３は、前記軸芯２７が、前記機体フレーム３の左右幅方向へ延びるように配置され、前記軸芯２７の左右の端部を、前記機体フレーム３に取着された左右一対のフィルム筒支持腕２９ａ，２９ｂによって、遊転自在に支持されている。前記マルチフィルムシート２１は、その自由端部２１ｆ側を、土壌消毒作業の開始地点の地面に固定して、前記機体フレーム３を前方Ｆへ向けて進行させることによって、前記軸芯２７が遊転して、前記土壌表面ＧＳに自動的に繰り出される。
【００３１】
前記鎮圧ローラ２４は、前記フィルム筒２３から前記土壌表面ＧＳに繰り出された前記マルチフィルムシート２１の上を転動し、該マルチフィルムシート２１の左右幅のほぼ全面を、前記土壌表面ＧＳに押圧して密着せしめるとともに、前記マルチフィルムシート２１の上から、前記土壌表面ＧＳを鎮圧する。前記鎮圧ローラ２４は、そのローラ軸３０の左右の外端部を、前記機体フレーム３に連結された鎮圧ローラ支持腕３１によって、相対回動自在に支持されている。
【００３２】
本実施の形態では、前記鎮圧ローラ２４は、図３及び図４に示すように、円筒状のローラ本体３２と、該ローラ本体３２の左右の外端部に形成された左右一対のマルチフィルムシート押し込み輪３３ａ，３３ｂと、該左右一対のマルチフィルムシート押し込み輪３３ａ，３３ｂの左右の外側に形成された左右一対の端部押圧輪３４ａ，３４ｂと、を一体的、且つ同心的に備えている。
【００３３】
前記ローラ本体３２は、スポンジ等からなる柔軟な外周面３５を備えている。具体的には、図４に示すように、鋼板製ドラム３６の外周面を、スポンジやゴム等のクッション性に優れた材料からなる被覆材３７で被覆して、前記ローラ本体３２が形成されている。このようにすれば、前記ローラ本体３２による前記土壌表面ＧＳに対しての前記マルチフィルムシート２１の押圧時に、前記ローラ本体３２の前記外周面３５によって、柔軟な前記マルチフィルムシート２１が損傷を受ける等の問題がなく、好適である。
【００３４】
前記左右一対のマルチフィルムシート押し込み輪３３ａ，３３ｂは、前記ローラ本体３２の左右の外端部において、前記ローラ本体３２の前記外周面３５からその半径方向外方へ所定量だけ突出している。図４に示すように、前記左右一対のマルチフィルムシート押し込み輪３３ａ，３３ｂは、前記ローラ本体３２の転動に伴って、前記マルチフィルムシート２１の前記左右の側縁部２１ａ，２１ｂ側を、前記土壌Ｓ中に押し込んで行く。
【００３５】
前記左右一対のマルチフィルムシート押し込み輪３３ａ，３３ｂは、前記マルチフィルムシート２１を前記土壌表面ＧＳに対して密着せしめる前記ローラ本体３２と一体的且つ同心的に設けられているので、前記マルチフィルムシート２１が前記土壌表面ＧＳに密着せしめられた状態で、前記マルチフィルムシート２１の前記左右の側縁部２１ａ，２１ｂ側を、前記土壌Ｓ中に確実に押し込むことができる。
【００３６】
本実施の形態では、前記左右一対の溝切りディスク２２ａ，２２ｂによって前記土壌表面ＧＳに形成された前記左右一対の溝２６ａ，２６ｂを、前記左右一対のマルチフィルムシート押し込み輪３３ａ，３３ｂが通るように、前記左右一対の溝切りディスク２２ａ，２２ｂと、前記左右一対のマルチフィルムシート押し込み輪３３ａ，３３ｂと、を配置している。このため、前記マルチフィルムシート２１の前記左右の側縁部２１ａ，２１ｂ側を、前記土壌Ｓ中に一層確実に押し込んで行くことができる。
【００３７】
また、前記左右一対の端部押圧輪３４ａ，３４ｂは、図４に示すように、前記左右一対のマルチフィルムシート押し込み輪３３ａ，３３ｂの左右の外側に、前記ローラ本体３２よりやや小径に形成されている。前記左右一対の端部押圧輪３４ａ，３４ｂは、前記左右一対のマルチフィルムシート押し込み輪３３ａ，３３ｂによって、前記マルチフィルムシート２１が前記土壌表面ＧＳに押し込まれる時に、前記マルチフィルムシート２１の前記左右の側縁部２１ａ，２１ｂを押さえて、該左右の側縁部２１ａ，２１ｂの跳ね上がりを阻止する。
【００３８】
本実施の形態では、図１及び図２に示すように、前記鎮圧ローラ２４による前記土壌表面ＧＳの押圧力を調節自在にせしめる押圧力調節手段として、前記機体フレーム３に対する前記鎮圧ローラ２４の上下位置を調節するねじ式進退機構３８を設けている。該ねじ式進退機構３８は、ねじ棒３９と、前記機体フレーム３に支持されたねじ受け部材４０と、を備えている。前記ねじ棒３９は、前記ねじ受け部材４０に形成されたねじ孔に螺入して、前記ねじ受け部材４０を上から下に向けて貫通し、その下端部が、前記鎮圧ローラ支持腕３１に対して回動自在に連結されている。前記ねじ棒３９の上端部側に一体に取着されたハンドル４１を操作して、前記ねじ棒３９を回動させると、該ねじ棒３９が前記ねじ受け部材４０に対して上下に移動する。これにより、前記機体フレーム３に対する前記鎮圧ローラ２４の上下位置、すなわち、該鎮圧ローラ２４による前記土壌表面ＧＳの押圧力を自在に調節することができる。
【００３９】
なお、前記押圧力調節手段として、前記ねじ式進退機構３８に代えて、前記鎮圧ローラ２４を前記土壌表面ＧＳに押圧する付勢手段としての圧縮コイルばねを、前記機体フレーム３側と前記鎮圧ローラ２４側との間に設け、該圧縮コイルばねによる付勢力を調節自在にせしめたり、あるいは、前記鎮圧ローラ２４に重量調節自在なウエイトを設けたりすることもできる。
【００４０】
前記左右一対の覆土ディスク２５ａ，２５ｂは、前記機体フレーム３に固着された左右一対の覆土ディスク支持腕４２ａ，４２ｂの後端部に支持されている。前記左右一対の覆土ディスク２５ａ，２５ｂは、前記左右一対のマルチフィルムシート押し込み輪３３ａ，３３ｂのそれぞれの若干外側方位置に対応して、その後方の間近に配置されている。しかも、前記左右一対の覆土ディスク２５ａ，２５ｂは、その前部側同士の間隔よりその後部側同士の間隔が狭くなるようにして配置されている。このため、前記左右一対の覆土ディスク２５ａ，２５ｂは、前記土壌消毒機１の進行に応じて転動しながら、前記鎮圧ローラ２４の通過直後に、前記マルチフィルムシート２１が前記土壌表面ＧＳに密着せしめられた状態で、前記左右一対のマルチフィルムシート押し込み輪３３ａ，３３ｂによって前記左右一対の溝２６ａ，２６ｂの中に押し込まれた前記マルチフィルムシート２１の前記左右の側縁部２１ａ，２１ｂに、その外側方から覆土して行くことができる。
【００４１】
以上のように構成される本実施の形態に係る前記土壌消毒機１によれば、薬液注入後の前記土壌表面ＧＳに施された前記マルチフィルムシート２１のほぼ全面が、前記鎮圧ローラ２４で前記土壌表面ＧＳに対して密着せしめられる。同時に、前記鎮圧ローラ２４の荷重によって、前記マルチフィルムシート２１の上から前記土壌表面ＧＳが押し固められる。よって、前記各薬液注入刀ノズル５によって注入された前記薬液Ｌが、前記土壌Ｓ中にガス化状態で長時間滞留することになり、優れた土壌消毒効果が得られる。
【００４２】
また、前記マルチフィルムシート２１の前記左右の側縁部２１ａ，２１ｂは、前記鎮圧ローラ２４の通過後（通過直後）に、前記マルチフィルムシート２１が前記土壌表面ＧＳに密着せしめられた状態で、前記左右一対の覆土ディスク２５ａ，２５ｂによって覆土されるので、風等によって前記マルチフィルムシート２１がめくれてしまう等の問題はない。
【００４３】
さらに、前記左右一対の覆土ディスク２５ａ，２５ｂは、前記左右一対のマルチフィルムシート押し込み輪３３ａ，３３ｂによって前記左右一対の溝２６ａ，２６ｂの中に押し込まれた前記マルチフィルムシート２１の前記左右の側縁部２１ａ，２１ｂを覆土して行くので、小幅の覆土で前記マルチフィルムシート２１を確実に前記土壌表面ＧＳに対して固定せしめることができる。このため、隣接条との隙間を極力小さくすることができて、好適である。
【図面の簡単な説明】
【図１】  本発明の一実施の形態に係る土壌消毒機を右後方から見た全体斜視図である。
【図２】  図１の土壌消毒機の右側面図である。
【図３】  図１中の鎮圧ローラの拡大斜視図である。
【図４】  図１のＩＶ−ＩＶ矢視拡大断面図である。
【符号の説明】
１    土壌消毒機
３    機体フレーム
５    薬液注入刀ノズル
２０  土壌被覆装置
２１  覆い（マルチフィルムシート）
２１ａ，２１ｂ  覆いの左右の側縁部
２２ａ，２２ｂ  左右一対の溝切り部材（溝切りディスク）
２４  鎮圧ローラ
２５ａ，２５ｂ  左右一対の覆土部材（覆土ディスク）
２６ａ，２６ｂ  左右一対の溝
３２  ローラ本体
３３ａ，３３ｂ  左右一対の覆い押し込み輪
３４ａ，３４ｂ  左右一対の端部押圧輪
３５  外周面
３８  押圧力調節手段
Ｆ    前方
Ｌ    薬液
Ｓ    土壌
ＧＳ  土壌表面
【図１】
0003882983.tif 000002
【図２】
0003882983.tif 000003
【図３】
0003882983.tif 000004
【図４】
0003882983.tif 000005